(57)【要約】      （修正有）【課題】簡単に外壁にデザインを形成することできる外壁構造を提供する。【解決手段】建物の外壁面に複数の外装材１が貼り付けられてなる外壁構造であって、外装材１の表面に、凹凸を連続的に設けた幾何学的な立体模様２が形成されており、前記立体模様２の各面のうち少なくとも一面が他の面と異なった色調が施されている。前記立体模様２の凹凸ピッチは、外装材１の長さ寸法の１／１０〜１／１００のピッチであり、前記立体模様２の凹凸の深さは、凹凸ピッチの１／５である。【選択図】図２
2007309001.tif 000002
【特許請求の範囲】
【請求項１】
建物の外壁面に複数の外装材が貼り付けられてなる外壁構造であって、
外装材の表面に、凹凸を連続的に設けた幾何学的な立体模様が形成されていることを特徴とする外壁構造。
【請求項２】
請求項１記載の外壁構造において、
前記立体模様の各面のうちの少なくとも一面が、他の面と異なった色調が施されていることを特徴とする外壁構造。
【請求項３】
請求項１または２記載の外壁構造において、
前記立体模様の凹凸ピッチは、前記外装材の長さ寸法の１／１０〜１／１００のピッチであり、
前記立体模様の凹凸深さ寸法は、凹凸ピッチの１／５であることを特徴とする外壁構造。
【発明の詳細な説明】
【技術分野】
【０００１】
本発明は、外装材を用いた外壁構造に関する。
【背景技術】
【０００２】
建物の外壁構造として、外壁面にタイル等の外装材を貼り付けるものがある。この外壁構造をデザインする場合、従来、外装材の表面に塗装を施して当該塗装によってデザインを形成する方法と、素材（色彩や材質）が異なる外装材をデザインに基づいて配設してデザインを形成する方法とがある。
【０００３】
また、従来、建物の外壁面にデザインが印刷されたスクリーンを配置して外壁面をデザインする技術もある（例えば、特許文献１参照。）。さらに、従来、建物の外壁に液晶ディスプレイを装着させて外壁面にデザインを形成する技術もある（例えば、特許文献２参照。）。
【特許文献１】特開２００３−２５３９７８号公報
【特許文献２】特開２０００−１３２１２３号公報
【発明の開示】
【発明が解決しようとする課題】
【０００４】
しかしながら、外装材に塗装を施して外壁をデザインする上記した従来の技術では、建物外壁面に外装材を貼り付けた後に塗装を施す必要があるため、塗装範囲が大面積である場合に色むらが無いように塗るのは困難であるという問題がある。
また、素材の異なる外装材を貼り付けて外壁をデザインする上記した従来の技術では、異なる素材の外装材ごとに施工する必要があり、外装材の貼り付け作業が煩雑になるという問題がある。
さらに、上記したスクリーンや液晶ディスプレイを用いる従来の技術では、スクリーンや液晶ディスプレイ及びその周辺機器の設置に手間がかかるという問題がある。
【０００５】
本発明は、上記した従来の問題が考慮されたものであり、簡単に外壁にデザインを形成することができる外壁構造を提供することを目的としている。
【課題を解決するための手段】
【０００６】
請求項１記載の発明は、建物の外壁面に複数の外装材が貼り付けられてなる外壁構造であって、前記外装材の表面に、凹凸を連続的に設けた幾何学的な立体模様が形成されていることを特徴としている。
【０００７】
このような特徴により、幾何学的な立体模様の各面によって反射された光の反射角度の違いにより干渉作用が生じて特定の色の波長が強調される。この光の干渉作用により、外壁を見る角度によって異なった色に見える。これにより、見る場所（視点）によって外装材の表面の色調が変化する。
【０００８】
請求項２記載の発明は、請求項１記載の外壁構造において、前記立体模様の各面のうちの少なくとも一面が、他の面と異なった色調が施されていることを特徴としている。
【０００９】
このような特徴により、外壁を見る角度により見える面（色）の比率が異なるため、見る場所（視点）によって外装材の表面の色調が変化される。
【００１０】
請求項３記載の発明は、請求項１または２記載の外壁構造において、前記立体模様の凹凸ピッチは、前記外装材の長さ寸法の１／１０〜１／１００のピッチであり、前記立体模様の凹凸深さ寸法は、凹凸ピッチの１／５であることを特徴としている。
【００１１】
このような特徴により、上記した光の干渉作用による色調の変化が明確となる。
【発明の効果】
【００１２】
本発明に係る外壁構造によれば、見る場所によって色調が変化する幾何学的なデザインの外壁となり、魅力的なファサードデザインを創造することできる。また、本発明に係る外壁構造では、外装材を貼り付けるだけでよく、手間がかからず簡単に施工できる。
【発明を実施するための最良の形態】
【００１３】
以下、本発明に係る外壁構造の実施の形態について、図面に基いて説明する。
【００１４】
図１は外壁構造を表す斜視図である。
図１に示すように、外壁構造は、外壁面に複数の外装材１…を貼り付けた構成からなる。具体的には、複数の板状の外装材１…が、外壁面に一定の秩序をもって貼り付けられており、複数の外装材１…で外壁面を被覆した構成になっている。なお、外装材１は、例えば、矩形（図１では正四角形）の外装パネルや外壁タイル等からなり、アルミニウム製や陶磁器製等の部材である。
【００１５】
図２は外装材１の断面図である。
図２に示すように、外装材１の表面には、凹凸を連続的に設けた幾何学的な立体模様２が形成されている。立体模様２は、外装材１の表面に形成された三角形状の波形の凹凸模様であり、外装材１の表面全体に形成されている。また、立体模様２は、断面三角形の山形部３…が一定のピッチ（凹凸ピッチα）で連続的に設けられた構成になっている。
【００１６】
立体模様２の凹凸ピッチαは、立体模様２を構成する山形部３の平面方向の寸法、つまり、三角形状の山形部３の底辺寸法である。具体的には、凹凸ピッチαは、外装材１の長さ寸法Ｌの１／１０〜１／１００に相当するピッチになっている。
また、立体模様２の凹凸深さ寸法Ｈは、立体模様２を構成する山形部３の高さ寸法である。具体的には、凹凸深さ寸法Ｈは、凹凸ピッチαの１／５程度の寸法である。つまり、凹凸深さ寸法Ｈは、外装材１の長さ寸法Ｌの１／５０〜１／５００に相当する寸法になっている。
【００１７】
また、立体模様２の各面のうちの一方の面２ａ…に他方の面２ｂ…と異なった色調が施されている。具体的には、斜め上方を向いた山形部３…の一方の面２ａ…と、斜め下方を向いた山形部３…の他方の面２ｂ…とは、互いに異なる色で表されている。
【００１８】
次に、上記した構成からなる外壁構造の作用について説明する。
異なった方向に向いた立体模様２の各面２ａ…，２ｂ…では、それぞれ異なった方向に光を反射させる。そして、異なった方向にそれぞれ反射された光同士は干渉し、特定の色の波長が強調される結果となる。このような光の干渉作用により、上記した構成からなる外壁構造は、見る場所（視点）によって異なった色に見えて、外壁の色が変化したように見える。
【００１９】
特に、上記した構成からなる外壁構造では、立体模様２の一方の面２ａ…と他方の面２ｂ…とが異なった色調が施されているため、外壁を見る角度により見える面（色）の比率が異なる。例えば、外壁を斜め上方から見下ろすと、一方の面２ａ…の方が他方の面２ｂ…よりも見える比率が大きくなり、一方の面２ａ…に施された色調が強調される。一方、外壁を斜め下方から見上げると、他方の面２ｂ…の方が一方の面２ａ…よりも見える比率が大きくなり、他方の面２ｂ…に施された色調が強調される。
【００２０】
上記した構成からなる外壁構造によれば、外装材１の表面に、凹凸を連続的に設けた幾何学的な立体模様２が形成されているため、見る場所によって色調が変化する幾何学的なデザインの外壁となり、魅力的なファサードデザインを創造することできる。また、複数の外装材１…を外壁面に貼り付けるだけであるため、手間がかからず簡単に施工できる。
【００２１】
また、立体模様２の各面のうちの一方の面２ａ…が他方の面２ｂ…と異なった色調が施されているため、外壁を見る角度により見える面（色）の比率が異なり、見る場所（視点）によって外装材１の表面の色調が変化される。これによって、さらに魅力的なファサードデザインを創造することできる。
【００２２】
さらに、立体模様２の凹凸ピッチαは、外装材１の長さ寸法Ｌの１／１０〜１／１００のピッチであり、立体模様２の凹凸深さ寸法Ｈは、凹凸ピッチαの１／５程度であるため、上記した光の干渉作用による色調の変化が明確となる。これによって、色調がはっきりと変化するファサードデザインを創造することできる。
【００２３】
以上、本発明に係る外壁構造の実施の形態について説明したが、本発明は上記した実施の形態に限定されるものではなく、その趣旨を逸脱しない範囲で適宜変更可能である。例えば、上記した実施の形態では、立体模様２は、断面三角形の山形部３…が連続的に設けられた構成になっているが、本発明は、立体模様の形状を限定するものではなく、例えば、図３（ａ）に示すように、曲線的な波形の凹凸からなる立体模様２’であってもよく、また、図３（ｂ）に示すように、断面矩形の凸部３ａ”と凹部３ｂ”とを交互に連設した構成の立体模様２”であってもよい。なお、図３（ａ），図３（ｂ）に示す凹凸ピッチαは、上記した実施の形態と同様に、外装材１の長さ寸法Ｌの１／１０〜１／１００のピッチであることが好ましく、また、図３（ａ），図３（ｂ）に示す凹凸深さ寸法Ｈは、上記した実施の形態と同様に、凹凸ピッチαの１／５程度であることが好ましい。
【００２４】
また、上記した実施の形態では、外装材１として矩形板状のものを使用しているが、本発明に係る外装材は、上記した外装材１以外の構成のものでもよく、例えば、外装材の形状は長方形や三角形等であってもよい。
【００２５】
また、上記した実施の形態では、外壁面に貼り付けられる全ての外装材１…の表面に立体模様２がそれぞれ形成されているが、本発明は、貼り付けられる複数の外装材のうちの一部の外装材の表面に上記した立体模様が形成されていてもよい。
また、上記した実施の形態では、外装材１の表面全体に立体模様２が形成されているが、本発明は、外装材の表面のうちの一部に立体模様が形成されていてもよい。
【００２６】
また、上記した実施の形態では、立体模様２の各面のうちの一方の面２ａ…に他方の面２ｂ…と異なった色調が施されているが、本発明は、立体模様の各面のうち、一面だけを他の面と異なった色調にしてもよく、或いは、立体模様の各面のうち、いずれか複数の面をその他の面と異なった色調にしてもよい。さらに、本発明は、立体模様の各面に異なった色調が施されていなくてもよく、立体模様の各面が全て同一の色調になっていてもよい。
【００２７】
また、上記した実施の形態では、立体模様２の凹凸ピッチαは、外装材１の長さ寸法Ｌの１／１０〜１／１００のピッチになっており、立体模様２の凹凸深さ寸法Ｈは、凹凸ピッチαの１／５になっているが、本発明は、立体模様の凹凸ピッチや凹凸深さ寸法が上記以外の大きさになっていてもよい。
【００２８】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００２９】
【図１】本発明に係る実施の形態を説明するための外壁構造の斜視図である。
【図２】本発明に係る実施の形態を説明するための外装材の断面図である。
【図３】本発明に係る他の実施の形態を説明するための外装材の断面図である。
【符号の説明】
【００３０】
１  外装材
２，２’，２”  立体模様
２ａ，２ｂ  （立体模様の）面  
α  凹凸ピッチ
Ｈ  凹凸深さ寸法
Ｌ  （外装材の）長さ寸法
【図１】
2007309001.tif 000003
【図２】
2007309001.tif 000004
【図３】
2007309001.tif 000005